(57)【要約】【課題】ブック原稿の見開き画像をページ毎に読み取り可能な画像読取装置及びこれを備える画像形成装置を提供すること。【解決手段】原稿台ガラス８２に載置された原稿のサイズを読み取り可能な副走査サイズセンサ８２ｃ及びイメージセンサユニット８３と、主走査線上の輝度分布を読み取り可能なイメージセンサユニット８３と、見開き状態で原稿台ガラス８２に載置されたブック原稿をイメージセンサユニット８３によって主走査方向に読み取って主走査線上の輝度分布情報を取得し、取得した輝度分布情報から低輝度が連続したブック原稿の見開き中心線を検出し、検出した見開き中心線と、イメージセンサユニット８３により読み取られたブック原稿の原稿サイズと、によって原稿台ガラス８２に載置されたブック原稿の見開き２ページから読み取り可能な読取ページを選択し、読取ページの画像をイメージセンサユニット８３に読み取らせるＣＰＵ１０と、を備えた。【選択図】図６
2013098694.tif 000002
【特許請求の範囲】
【請求項１】
原稿台ガラスに載置された原稿の原稿サイズを読み取り可能な原稿サイズ読取手段と、
主走査線上の輝度分布を読み取り可能な画像読取手段と、
見開き状態で前記原稿台ガラスに載置されたブック原稿を前記画像読取手段によって主走査方向に読み取って主走査線上の輝度分布情報を取得し、取得した前記輝度分布情報から低輝度が連続したブック原稿の見開き中心線を検出し、検出した見開き中心線と、前記原稿サイズ読取手段により読み取られたブック原稿の原稿サイズと、によって前記原稿台ガラスに載置されたブック原稿の見開き２ページから読み取り可能な読取ページを選択し、該読取ページの画像を前記画像読取手段に読み取らせる制御部と、を備えた、
ことを特徴とする画像読取装置。
【請求項２】
前記制御部は、前記原稿サイズ読取手段により読み取られた原稿サイズから、原稿台ガラス上に位置するブック原稿の副走査方向に向いた端線を検出し、前記端線が検出されなかった場合には前記原稿台ガラスの副走査方向の端部をブック原稿の副走査方向に向いた端線と仮定して、前記見開き中心線から前記端線までの長さをそれぞれ読み取り、前記見開き中心線から前記端線までの長さが異なる場合には、前記見開き中心線から前記端線までの長さが長い方のページを前記読取ページとして選択し、該読取ページの画像を前記画像読取手段に読み取らせる、
ことを特徴とする請求項１に記載の画像読取装置。
【請求項３】
前記制御部は、前記見開き中心線から前記端線までの長さが同じ場合は、ブック原稿の見開き２ページのそれぞれのページを前記読取ページとして選択し、前記見開き２ページの画像をページ毎に前記画像読取手段に読み取らせる、
ことを特徴とする請求項２に記載の画像読取装置。
【請求項４】
請求項１から３のいずれか１項に記載の画像読取装置と、
前記画像読取装置により読み取られた画像をシートに形成する画像形成部と、を備えた、
ことを特徴とする画像形成装置。
【発明の詳細な説明】
【技術分野】
【０００１】
本発明は、原稿を読み取り可能な画像読取装置及びこれを備えた画像形成装置に関し、特には、ブック原稿をページ毎に読み取り可能な画像読取装置を備えた画像形成装置に関する。
【背景技術】
【０００２】
一般に、デジタル複写機、プリンタ、ファクシミリ及びこれら複合機等の画像形成装置においては、原稿の画像を読み取り可能な縮小光学系の画像読取装置を有するものが広く採用されている。画像読取装置は、原稿台ガラス上に載置された原稿に、原稿読み取り用の照射光を照射し、原稿からの反射光を集光して光電変換させることにより原稿の画像の読み取りを行う。そのため、画像読取装置において原稿の画像を正確に読み取るためには、原稿を原稿台ガラスに密着させて照射光を正確に反射させる必要がある。
【０００３】
ここで、画像読取装置には、原稿台ガラス上に載置された原稿を原稿台ガラスに密着させるための原稿カバーが設けられており、原稿カバーは、一般に、奥側を回動支点として手前側が開くように画像読取装置本体に支持されている。そのため、例えば、書籍や雑誌等の中綴じ製本されている原稿（以下、「ブック原稿」という）の画像を読み取る場合、左右ページを横に並べた見開き状態（以下、「横置き」という）で載置されたブック原稿を、原稿カバーで原稿台ガラスに密着させるようとすると、ブック原稿の奥側が手前側よりも強く押圧され、ブック原稿の奥側が手前側よりも多く撓んでしまう。これにより、ブック原稿の原稿面が全体として略ハの字状に歪んでしまう。そのため、このような場合には、ブック原稿の左右ページを上下方向に並べた状態（以下、「縦置き」という）に置き換えて画像を読み取る場合がある（特許文献１参照）。
【先行技術文献】
【特許文献】
【０００４】
【特許文献１】特開平１０−２６８７０２号公報
【発明の概要】
【発明が解決しようとする課題】
【０００５】
しかしながら、原稿を縦置きにすると、原稿が原稿台ガラスから食み出す場合がある。原稿が原稿台ガラスから食み出した状態で原稿の画像を読み取ると、画像欠けしたページが見開きのもう一方のページと共に読み取られ、見開き画像をページ毎に読み取ることができない。これに対しては、ユーザが見開き画像の各ページに対応したサイズのシートを選択してコピーすることにより解消する場合もあるが、原稿が食み出している場合、操作部が食み出した原稿に覆われてしまう場合がある。また、操作する際にも原稿カバーでブック原稿を押えておかなければならない。そのため、このような状態で行われるシートを選択する作業はユーザにとって非常に煩雑である。
【０００６】
そこで、本発明は、ブック原稿の見開き画像をページ毎に好適に読み取り可能な画像読取装置及びこれを備える画像形成装置を提供することを目的とする。
【課題を解決するための手段】
【０００７】
本発明は、原稿台ガラスに載置された原稿の原稿サイズを読み取り可能な原稿サイズ読取手段と、主走査線上の輝度分布を読み取り可能な画像読取手段と、見開き状態で前記原稿台ガラスに載置されたブック原稿を前記画像読取手段によって主走査方向に読み取って主走査線上の輝度分布情報を取得し、取得した前記輝度分布情報から低輝度が連続したブック原稿の見開き中心線を検出し、検出した見開き中心線と、前記原稿サイズ読取手段により読み取られたブック原稿の原稿サイズと、によって前記原稿台ガラスに載置されたブック原稿の見開き２ページから読み取り可能な読取ページを選択し、該読取ページの画像を前記画像読取手段に読み取らせる制御部と、を備えた、ことを特徴とする。
【発明の効果】
【０００８】
本発明によれば、ブック原稿の見開き中心線を検出して見開き中心線を基準にブック原稿のページを読み取ることにより、ブック原稿の見開き画像をページ毎に好適に読み取ることができる。
【図面の簡単な説明】
【０００９】
【図１】本発明の実施形態に係る複写機の全体構造を模式的に示す断面図である。
【図２】本実施形態に係る画像読取部の全体構造を模式的に示す斜視図である。
【図３】図２に示す画像読取部の断面図である。
【図４】本実施形態に係るリーダ部の内部構造を模式的に示す斜視図である。
【図５】本実施形態に係る複写機の連写モードに係る内部構成を示すブロック図である。
【図６】ブック原稿を連写モードで読み取る際のＣＰＵによる制御動作を示すフローチャートである。
【図７】見開き中心線を検出する状態を説明するための図である。
【図８】（ａ）は、横置きにしたブック原稿を示す図であり、（ｂ）は、縦置きにしたブック原稿を示す図である。（ｃ）は、縦置きにしたブック原稿の第２ページが原稿台ガラスから食み出した状態を示す図であり、（ｄ）は、縦置きにしたブック原稿の第１ページが原稿台ガラスから食み出した状態を示す図である。
【図９】（ａ）は、縦置きのブック原稿が読み取られた状態のプレビュー画面の表示例を示す図であり、（ｂ）は、（ａ）に示すブック原稿が回転した状態を示す図である。
【発明を実施するための形態】
【００１０】
以下、本発明の実施形態に係る画像形成装置について、図面を参照しながら説明する。本発明の実施形態に係る画像形成装置は、冊子状のブック原稿の見開き画像（見開き２ページ）を１ページ毎に読み取り可能な画像読取装置を備えた画像形成装置である。以下の実施形態においては、画像形成装置として、白黒／カラー複写機（以下、「複写機」という）１を用いて説明する。
【００１１】
まず、本実施形態に係る複写機１の概略構成について、図１を参照しながら説明する。図１は、本発明の実施形態に係る複写機１の全体構造を模式的に示す断面図である。なお、以下においては、ユーザが複写機１に対して各種入力／設定を行う不図示の操作部に臨む位置を複写機１の「手前側」といい、背面側を「奥側」という。つまり、図１は、手前側から見た複写機１の全体構造を示したものである。
【００１２】
図１に示すように、複写機１は、シートＳを給送するシート給送部２と、画像を形成する画像形成部３と、画像形成部３で形成された画像をシートＳに転写する転写部４と、転写部４で転写された画像をシートＳに定着させる定着部５と、画像が定着されたシートＳを排出する排出部６と、原稿Ｄの画像情報を読み取る画像読取装置としての画像読取部７と、を備えている。
【００１３】
シート給送部２は、複写機１の下部に配設されており、シートＳを収納する収納カセット２１と、収納カセット２１に収納されるシートＳを給送する給送ローラ２２と、給送ローラ２２により給送されるシートＳを１枚ずつに分離する分離部２３と、を備えている。
【００１４】
画像形成部３は、シート給送部２の上部に配設されており、イエロー（Ｙ）、マゼンタ（Ｍ）、シアン（Ｃ）及びブラック（Ｋ）の４色のトナー画像を形成する感光体ドラム３１Ｙ〜３１Ｋと、感光体ドラム３１Ｙ〜３１Ｋの表面を印加して一様に帯電させる一次帯電器３２Ｙ〜３２Ｋと、画像情報に基づいてレーザ光を照射して感光体ドラム３１Ｙ〜３１Ｋに静電潜像を形成する露光装置３３Ｙ〜３３Ｋと、感光体ドラム３１Ｙ〜３１Ｋに形成された静電潜像をトナー像として可視化する現像装置３４Ｙ〜３４Ｋと、を備えている。
【００１５】
転写部４は、感光体ドラム３１Ｙ〜３１Ｋの下部に配設されており、回転駆動する転写ベルト４１と、感光体ドラム３１Ｙ〜３１Ｋの各色トナー像を転写ベルト４１に転写する転写器４２Ｙ〜４２Ｋと、を備えている。定着部５は、転写部４の下流側に配設されており、ヒータを内蔵した定着ローラ５１と、定着ローラ５１に圧接する加圧ローラ５２と、を備えている。排出部６は、定着部５の下流側に配設されており、シートＳを機外に排出する排出ローラ対６１と、機外に排出されたシートＳを積載する排出トレイ６２と、を備えている。
【００１６】
画像読取部７は、複写機１の上部に配設されており、原稿Ｄの画像を読み取るリーダ部８と、リーダ部８に原稿Ｄを給送可能な原稿給送部９と、を備えている。なお、画像読取部７については、後に詳しく説明する。
【００１７】
次に、上述のように構成された本実施形態に係る複写機１の画像形成ジョブについて説明する。複写機１の画像形成ジョブが開始されると、不図示のパソコン又は画像読取部７から入力された画像情報に基づいて、露光装置３３Ｙ〜３３Ｋが感光体ドラム３１Ｙ〜３１Ｋの表面にレーザ光を照射する。これにより、一次帯電器３２Ｙ〜３２Ｋによって所定の極性電位に一様に帯電されている感光体ドラム３１Ｙ〜３１Ｋの表面が順次露光され、感光体ドラム３１Ｙ〜３１Ｋの表面に静電潜像が形成される。感光体ドラム３１Ｙ〜３１Ｋの表面に静電潜像が形成されると、現像装置３４Ｙ〜３４Ｋが静電潜像を現像し、トナー像として可視化される。
【００１８】
トナー像の形成動作に並行して、収納カセット２１に収容されたシートＳは、給送ローラ２２により送り出され、分離部２３で１枚ずつに分離される。そして、分離されたシートＳは、不図示のレジストローラに達し、レジストローラにより所定のタイミングで転写器４２Ｙ〜４２Ｋに搬送される。転写器４２Ｙ〜４２ＫにシートＳが搬送されると、転写器４２Ｙ〜４２Ｋに印加された転写バイアスによって、可視化された上述の各色のトナー像が、順次、シートＳに重畳転写される。これにより、シートＳ上にフルカラー（４色）のトナー像が形成される。
【００１９】
フルカラーのトナー像が転写されたシートＳは、転写部４から定着部５に搬送され、定着部５において熱及び圧力を受けてトナーが溶融混色されることにより画像として定着される。その後、画像が定着されたシートＳは、定着部５の下流に設けられた排出ローラ対６１によって排出トレイ６２に排出され、画像形成ジョブが終了する。
【００２０】
なお、シートＳの両面に画像を形成する場合は、定着部５でシートＳに未定着トナー像を定着した後、排出ローラ対６１によって排出トレイ６２に排出される前に、排出ローラ対６１を逆回転させて、シートＳを両面搬送路６３に搬送される。両面搬送路６３に搬送されることでシートＳは反転し、反転したシートＳは両面搬送路６３に設けられた搬送ローラにより画像形成部３に再搬送され、上述が繰り返される。
【００２１】
次に、本実施形態に係る画像読取部７について、図２から図４を参照しながら詳細に説明する。図２は、本実施形態に係る画像読取部７の全体構造を模式的に示す斜視図である。図３は、図２に示す画像読取部７の断面図である。図４は、本実施形態に係るリーダ部８の内部構造を模式的に示す斜視図である。
【００２２】
図２に示すように、画像読取部７は、原稿Ｄの画像を読み取るリーダ部８と、リーダ部８に原稿Ｄを給送可能な原稿給送部９と、を備えており、手前側からリーダ部８が開放自在となるように、奥側に配設されたヒンジ部７０，７０により、原稿給送部９がリーダ部８に開閉自在に支持されている。
【００２３】
図３及び図４に示すように、リーダ部８は、後述の原稿給送装置９０の下方側に位置するように配設されるプラテンガラス８０と、支持ステー８１を挟んでプラテンガラス８０と副走査方向に並んで配置される矩形状の原稿台ガラス８２と、プラテンガラス８０及び原稿台ガラス８２を支持する筐体８ａと、画像読取手段としてのイメージセンサユニット８３と、を備えている。
【００２４】
原稿台ガラス８２は、原稿Ｄを載置するためのものであり、原稿台ガラス８２には、原稿Ｄを載置する際に、主走査方向の目安となる画先基準板８２ａと、副走査方向の目安となる画先基準板８２ｂとが貼り付けられている。また、原稿台ガラス８２の下には、原稿Ｄの副走査幅を検知するための原稿サイズ読取手段を構成する副走査サイズセンサ８２ｃ，８２ｄが取り付けられている。なお、本実施形態に係る副走査サイズセンサ８２ｃ，８２ｄは、反射型センサとなっている。筐体８ａは、プラテンガラス８０及び原稿台ガラス８２を支持すると共に、イメージセンサユニット８３等を内部に収容している。
【００２５】
イメージセンサユニット８３は、原稿Ｄに光を照射するＬＥＤ８４と、ＬＥＤ８４に照射された光に対応する原稿Ｄからの反射光を誘導する複数のミラー８５ａ，８５ｂ，８５ｃと、複数のミラー８５ａ〜８５ｃによって誘導された反射光を集光する集光レンズ８６と、集光レンズ８６で集光された反射光を光電変換して画像信号として出力するＣＣＤ８７と、を備えている。ＬＥＤ８４及びミラー８５ａは、光学キャリッジ（走行体）８８に収容されており、光学キャリッジ８８は、駆動ベルト８９に接続されている。駆動ベルト８９は、駆動モータ８９ａに連結されており、駆動モータ８９ａにより駆動するように構成されている。駆動モータ８９ａは、例えば、ステッピングモータにより構成されている。光学キャリッジ８８の位置は、不図示のポジションセンサと駆動モータ８９ａの回転パルス数とにより把握可能に構成させている。
【００２６】
イメージセンサユニット８３は、ＬＥＤ８４で原稿Ｄに向けて光を照射し、原稿Ｄから反射された反射光をＣＣＤ８７で受光することにより画像が投影され、投影された画像から１ラインずつの画像信号が生成される。またこのとき、イメージセンサユニット８３は、駆動モータ８９ａにより駆動ベルト８９が駆動し、光学キャリッジ８８が図４に示す矢印方向（副走査方向）に移動することで、原稿台ガラス上に載置された原稿Ｄを光学的に走査可能となる（載置原稿読取モード）。また、イメージセンサユニット８３は、光学キャリッジ８８を原稿給送部９の下方に位置する所定の原稿読取位置１００に停止させ、原稿給送部９により原稿Ｄを給送させることで原稿Ｄの画像情報を読み取り可能となる（原稿流し読みモード）。
【００２７】
更に、イメージセンサユニット８３は、ＬＥＤ８４で原稿Ｄに向けて光を照射し、原稿Ｄから反射された反射光をＣＣＤ８７で受光することで原稿Ｄの主走査線上の輝度分布を読み取り可能に構成されている。イメージセンサユニット８３で読み取られた主走査方向における輝度分布は、後述のＣＰＵ１０により輝度分布情報として取得され、輝度分布情報によりブック原稿の後述の見開き中心線が検出される。そして、検出された見開き中心線とブック原稿の原稿サイズとに基づいて見開き状態のブック原稿の読取ページを選択し、選択した読取ページを読み取る（連写モード）。
【００２８】
原稿給送部９は、原稿Ｄを自動給送する原稿給送装置９０と、原稿台ガラス８２上に載置された原稿Ｄを押圧する原稿台カバー９１と、を備えている。図３に示すように、原稿給送装置９０は、原稿Ｄを積載する原稿トレイ９２と、原稿トレイ９２に積載された原稿Ｄを給送する給送ローラ９３と、給送ローラ９３に給送される原稿Ｄを１枚ずつ分離する分離搬送ローラ９４及び分離パッド９５と、原稿Ｄの先端を揃えて搬送するレジストローラ対９６と、レジストローラ対９６の下流側に設けられ、原稿読取位置１００に原稿Ｄを案内する原稿案内部９７と、読取りが終了した原稿Ｄを機外に排出する排出ローラ対９８と、を備えている。
【００２９】
原稿トレイ９２は、原稿Ｄの幅方向にスライド自在に設けられた一対の幅方向規制板９２ａを備えており、一対の幅方向規制板９２ａが原稿トレイ９２に積載される原稿Ｄの幅方向を規制することで原稿Ｄの給送時における搬送安定性を確保している。給送ローラ９３は、原稿トレイ９２の上方に設けられており、ユーザによる原稿Ｄのセット作業を阻害しないように、図３に示す実線位置をホームポジションとしている。給送ローラ９３は、原稿Ｄの給送動作が開始されると、ホームポジションから給送位置（図３に示す破線位置）に移動し、原稿Ｄの上面に当接して原稿Ｄを給送する。レジストローラ対９６は、分離搬送ローラ９４の下流に設けられており、分離搬送ローラ９４にて１枚ずつ分離して搬送される原稿Ｄの先端をニップ部に突き当て、原稿Ｄにループを生じさせることにより原稿Ｄの先端を揃える。その後、レジストローラ対９６は、回転して原稿Ｄを原稿案内部９７に向かって搬送する。
【００３０】
原稿案内部９７は、プラテンガラス８０上の所定の原稿読取位置１００に位置するように設けられており、レジストローラ対９６により先端が揃えられた原稿Ｄが原稿読取位置１００上を移動するように案内する。原稿案内部９７は、リードローラ対９７ａと、第１プラテンローラ９７ｂと、白色板を有する不図示の読取ガイドと、第２プラテンローラ９７ｃと、リード排出ローラ対９７ｄと、を備えている。
【００３１】
リードローラ対９７ａは、レジストローラ対９６により搬送される原稿Ｄを原稿読取位置１００に向けて搬送する。第１プラテンローラ９７ｂは、リードローラ対９７ａの下流に設けられており、リードローラ対９７ａにより搬送される原稿Ｄを原稿読取位置１００に搬送する。読取ガイドは、第１プラテンローラ９７ｂの下流に設けられており、第１プラテンローラ９７ｂによって原稿読取位置１００に搬送された原稿Ｄを、プラテンガラス８０に密着させた状態で案内する。第２プラテンローラ９７ｃは、読取ガイドの下流に設けられており、読取ガイドにより案内され、画像情報の読み取りが終了した原稿Ｄを搬送する。リード排出ローラ対９７ｄは、第２プラテンローラ９７ｃの下流側に設けられており、第２プラテンローラ９７ｃにより搬送された原稿Ｄを排出ローラ対９８に搬送する。
【００３２】
排出ローラ対９８は、原稿案内部９７の下流に設けられており、原稿Ｄを機外に排出する。また、排出ローラ対９８は、原稿Ｄの両面を読み取る場合に、原稿Ｄをスイッチバックしてシートパス９９を介して再度レジストローラ対９６に搬送する。
【００３３】
原稿台カバー９１は、プラテンガラス８０及び原稿台ガラス８２を開閉自在に筐体８ａに支持されており、閉動作により原稿台ガラス８２上に載置された原稿Ｄが移動しないように原稿Ｄを押圧可能に形成されている。また、原稿台カバー９１には、筐体８ａに対する原稿台カバー９１の開放角度を検知可能な開閉センサ９１ａが取り付けられており、開閉センサ９１ａは、２つのセンサ（不図示）と１つのフラグ（不図示）により、原稿台カバー９１の４パターンの開閉角度が検知可能となっている。
【００３４】
次に、本実施形態に係る画像読取部７におけるブック原稿の左右ページをページ毎に読み取り可能な連写モードについて、図５から図９を参照しながら説明する。まず、連写モードに係る複写機１の内部構造について、図５を参照しながら説明する。図５は、本実施形態に係る複写機１の連写モードに係る内部構成を示すブロック図である。
【００３５】
図５に示すように、複写機１は、連写モードの制御を行うＣＰＵ１０と、ＲＡＭ１１と、ＲＯＭ１２と、通信Ｉ／Ｆ１３と、表示部１４と、開閉センサ９１ａと、駆動モータ８９ａと、イメージセンサユニット８３と、画像メモリ１５と、画像処理部１６とを備えている。ＲＡＭ１１、ＲＯＭ１２、通信Ｉ／Ｆ１３、表示部１４、開閉センサ９１ａ、駆動モータ８９ａ、イメージセンサユニット８３、画像メモリ１５及び画像処理部１６は、システムバス１７を介してＣＰＵ１０に接続されている。
【００３６】
ＣＰＵ１０は、イメージセンサユニット８３にブック原稿の主走査方向の輝度分布を読み取らせることで取得される輝度分布情報から、原稿台ガラス８２上に載置されたブック原稿の見開き中心線を検出して、検出した見開き中心線の位置等に基づいてブック原稿の読取ページ（画像欠け等のないページ）を選択する。そして、イメージセンサユニット８３に選択した読取ページ（領域）の画像を読み取らせる。なお、ブック原稿の見開き中心線の検出等については、後に説明する。
【００３７】
ＲＡＭ１１は、ＣＰＵ１０による読み取りページの選択等の作業領域及びデータの一時記憶領域を有しており、ＣＰＵ１０の読み取りページの選択等に用いられる。ＲＯＭ１２には、複写機１を駆動するためのファームウェアプログラムやファームウェアプログラムを制御するためのブートプログラム等が格納されている。通信Ｉ／Ｆ１３は、外部のコンピュータ端末装置等と複写機１とを接続可能に構成されており、例えば、外部のコンピュータ端末装置等を介して画像データを複写機１に転送したり、画像読取部７により読み取られた画像をコンピュータ端末装置等の表示部に表示させるためのものである。
【００３８】
表示部１４は、読取り画像のプレビュー等の情報を表示する。画像メモリ１５は、イメージセンサユニット８３により読み取られた原稿の画像情報を格納するためのものである。画像処理部１６は、ユーザ等の指示（操作）に基づいて、イメージセンサユニット８３により読み取られ、表示部１４に表示されたプレビュー画像の回転処理や画像情報の補正等を行うためのものである。
【００３９】
次に、本実施形態に係る複写機１の連写モードにおけるＣＰＵ１０の制御動作について、図６から図９（ｂ）を参照しながら説明する。図６は、ブック原稿を連写モードで読み取る際のＣＰＵ１０による制御動作を示すフローチャートである。図７は、見開き中心線を検出する状態を説明するための図である。図８（ａ）は、横置きにしたブック原稿を示す図である。図８（ｂ）は、縦置きにしたブック原稿を示す図である。図８（ｃ）は、縦置きにしたブック原稿の第２ページが原稿台ガラス８２から食み出した状態を示す図である。図８（ｄ）は、縦置きにしたブック原稿の第１ページが原稿台ガラス８２から食み出した状態を示す図である。図９（ａ）は、縦置きのブック原稿が読み取られた状態のプレビュー画面の表示例を示す図である。図９（ｂ）は、図９（ａ）に示すブック原稿が回転した状態を示す図である。
【００４０】
図６に示すように、ユーザ等により、ブック原稿の見開き２ページが奥手前方向（主走査方向）に並ぶように見開き状態のブック原稿が原稿台ガラス８２上に載置され、連写モードが選択されると、ＣＰＵ１０は、まず、原稿台ガラス８２上に載置されたブック原稿の原稿サイズを読み取る（ステップＳ１０）。
【００４１】
ＣＰＵ１０は、例えば、ユーザ等により原稿台カバー９１が所定角度まで閉じられたことを開閉センサ９１ａが検知すると、イメージセンサユニット８３のＬＥＤ８４でブック原稿の原稿面に向けて光を照射し、ブック原稿から反射された反射光をＣＣＤ８７で受光することで見開き状態のブック原稿の主走査方向における端部位置を検知する。同時に、ＣＰＵ１０は、副走査サイズセンサ８２ｃ，８２ｄで副走査方向における端部位置を検知する。これにより、ブック原稿の原稿サイズが検知される。また、このとき、ＣＰＵ１０は、原稿台ガラス８２上に位置するブック原稿の副走査方向に向いた端線も検出し、検出されなかった場合には、原稿台ガラス８２の副走査方向の端部をブック原稿の副走査方向に向いた端線と仮定する。
【００４２】
ブック原稿の原稿サイズが検知されると、ＣＰＵ１０は、原稿Ｄから反射された反射光をＣＣＤ８７で受光することでブック原稿の主走査方向における輝度分布を読み取り、ブック原稿の主走査方向における輝度分布情報を取得する（図７参照）。そして、ＣＰＵ１０は、取得した輝度分布情報から、低輝度（黒画素）が連続して高くなって現れるブック原稿の見開き中心線（中心位置）を検知する（ステップＳ１５）。
【００４３】
ここで、輝度分布情報から見開き中心線が検知されなかった場合、ＣＰＵ１０は、ブック原稿が横置き状態（図８（ａ）参照）と判断し、ブック原稿の見開き２ページの画像を副走査方向に読み取り、読み取った画像を中央で分割（ページ毎に分割）し、分割した画像毎（ページ毎）に読み取った画像データを保存する連写を行う（ステップＳ５５）。
【００４４】
一方、輝度分布情報から見開き中心線が検出された場合、ＣＰＵ１０は、見開き中心線が原稿台ガラス８２の主走査方向の中心に位置する基準位置よりも奥側（上側）にあるか否かを判断する（ステップＳ２０）。見開き中心線が基準端部よりも手前側（下側）にある場合（図８（ｃ）参照）、見開き中心線よりも奥側に位置するページを読取ページとして選択し、奥側のページの画像をイメージセンサユニット８３に読み取らせる（ステップＳ２５）。つまり、見開き中心線から上述の副走査方向に向いた端線までの長さが長い方のページを読取ページとして選択し、読み取らせる。
【００４５】
一方、見開き中心線が基準端部よりも奥側（上側）にある場合、見開き中心線からブック原稿の副走査方向に向いた端線までの長さをそれぞれ読み取る。そして、見開き中心線から手前側（下側）の端線までの長さの方が長い場合（図８（ｄ）参照）、手前側のページの方が大きいため、手前側のページを読取ページとして選択し、手前側のページの画像をイメージセンサユニット８３に読み取らせる（ステップＳ３５）。また、見開き中心線から手前側（下側）の端線までの長さと、奥側の端線までの長さが同じ場合（図８（ｂ）参照）、奥側のページと手前側のページとをそれぞれ読取ページとして選択し、奥側のページの画像と手前側のページの画像とをページ毎にイメージセンサユニット８３に読み取らせる（ステップＳ４０）。
【００４６】
ここで、上述のようにして読み取られた画像は、複写機１の備える不図示の表示部にプレビュー表示される。なお、読み取られた画像は、通信Ｉ／Ｆ１３を介して接続された外部のコンピュータ端末装置の表示部にプレビュー表示させてもよい。ここで、表示部に表示される読み取り画像の表示例を図９（ａ）に示す。例えば、図８（ｂ）に示すように載置されたブック原稿は、図９（ａ）に示すような状態で表示部にプレビュー表示される。つまり、縦置きしたブック原稿は、そのままの角度で読み取られるため、横を向いた状態となっている。そのため、このままでは見難いため、本実施形態においては、読み取り画像を９０度回転可能な回転ボタンが表示部に配設されており、ユーザ等は、表示部に配設された回転ボタンで読み取り画像を９０度回転可能に構成されている。
【００４７】
表示部に表示された画像がユーザ等の操作により９０度回転されると（ステップＳ４５）、ブック原稿の読み取りが最終頁であるか否かが判断される（ステップＳ５０）。そして、最終頁でなければ、ステップＳ１０に戻って上述を繰り返し、最終頁である場合には画像が出力（ステップＳ６０）されて連写モードが終了する。
【００４８】
以上説明したように、本実施形態に係る複写機１は、見開き状態で載置されたブック原稿の見開き中心線を検出し、見開き中心線と、ブック原稿の原稿サイズと、によりブック原稿の読取可能な読取ページを選択し、読み取る。そのため、縦置きに載置した見開き状態のブック原稿を読み取る際に、例えば、画像欠けしたページが読取ページとともに読み取られることを防止することが可能となる。つまり、要求するページの画像のみを好適に読み取らせることができる。
【００４９】
また、本実施形態に係る複写機１は、見開き中心線に基づいて読取ページを自動で認識する。そのため、例えば、縦置きしたブック原稿が原稿台ガラスから食み出して操作部が覆われて操作が困難な状態の場合においても、容易かつ好適に読取ページを読み取らせることが可能になる。
【００５０】
以上説明した制御部による連写モードの制御動作は、上記手順に応じたプログラムとして形成し、ＣＰＵ等のコンピュータで実行するように構成することも可能である。また、このようなプログラムは、半導体メモリ、磁気ディスク、光ディスク、フロッピー（登録商標）ディスク等の記録媒体、この記録媒体をセットしたコンピュータによりアクセスし、上記プログラムを実行するように構成することも可能である。
【００５１】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００５２】
例えば、本実施形態においては、見開き中心線が原稿台ガラス８２の基準位置よりも奥側（上側）にあるか否かを判断し、見開き中心線が基準端部よりも手前側にある場合、見開き中心線よりも奥側に位置するページを読取ページとして選択し、読み取らせたが、本発明においてはこれに限定されない。例えば、見開き中心線と原稿台ガラス８２の基準位置とを比較することなく、見開き中心線から端線までの長さを読み取り、この長さに基づいて読取ページを選択する構成であってもよい。
【符号の説明】
【００５３】
１    複写機（画像形成装置）
３    画像形成部
７    画像読取部（原稿読取装置）
１０    ＣＰＵ（制御部）
１６    画像処理部（画像回転手段）
８２    原稿台ガラス
８２ｃ    副走査サイズセンサ（原稿サイズ読取手段）
８２ｄ    副走査サイズセンサ（原稿サイズ読取手段）
８３    イメージセンサユニット（画像読取手段、原稿サイズ読取手段）
【図１】
2013098694.tif 000003
【図２】
2013098694.tif 000004
【図３】
2013098694.tif 000005
【図４】
2013098694.tif 000006
【図５】
2013098694.tif 000007
【図６】
2013098694.tif 000008
【図７】
2013098694.tif 000009
【図８】
2013098694.tif 000010
【図９】
2013098694.tif 000011